(57)【特許請求の範囲】
【請求項１】
左右側壁と底壁とを有し上部が開口しているトラフ本体同士が長手方向に接続されて延長されているトラフ本体の接続構造において、
前記トラフ本体の一端部の側壁の外面には、
突縁が形成された雄部が、
また前記トラフの他端部の側壁の外面には、
前記突縁部が嵌合できる受け部が形成された雌部がそれぞれ設けられており、
かつ前記トラフ本体には前記雄部と前記雌部との間のトラフ本体の中間部に、
２つの突縁部がトラフ本体の雌部の受け部を２つ直列置きした時に連結できる
間隔で形成されたトラフ本体を２個用い、
前記２つのトラフ本体の一方のトラフ本体の雌部の受部に対して、他方のトラフ本体の雌部の受部が対向して当接するように配置された場合に、
これを接続する部材として、
前記２つのトラフ本体とは別のトラフ本体の、
前記間隔でトラフ本体の中間部に形成された２つの突縁部のトラフ本体長手方向の外側面を
前記トラフ本体の断面方向に沿って切断して、
２つのトラフ本体の雌部と雌部の嵌合を行なう雌―雌アダプターとして、
２つのトラフ本体の当接する雌部に形成された受部に嵌入し雌―雌嵌合することを特徴とするトラフ本体の接続構造。
【請求項２】
前記雌-雌アダプターが、トラフ本体の中間部に設けられた２つの突縁部のトラフ本体長手方向の外側面位置で、前記２つの突縁部の外側面が前記雌-雌アダプターの長手方向の両端に位置するようにトラフ本体をトラフ断面方向に切断したものであることを特徴とする請求項１に記載のトラフ本体の接続構造。
【発明の詳細な説明】
【技術分野】
【０００１】
本発明は、鉄道の線路脇等に設置されて、その内部にケーブル等を収納するのに用いるトラフのトラフ本体の接続構造に関するものである。
【背景技術】
【０００２】
従来この種のトラフとしては、左右の側壁と底壁とを有し、上部が開口したトラフ本体と該トラフ本体の開口を塞ぐ蓋とからなり、ケーブル等を収納するためにトラフ本体同士及び蓋同士をそれぞれ直列置きして延長し、蓋をトラフ本体上に載せてその開口を塞ぐようにしたコンクリート製のものが知られている。
【０００３】
しかしながら、ケーブル等を収納するためにコンクリート製のトラフ本体同士及び蓋同士をそれぞれ直列置きして延長しただけのものでは、コンクリートが腐食したり、地震が発生してトラフが動いたりすることにより、トラフ自体やトラフとトラフの間に隙間が発生し、その隙間からネズミが侵入してトラフ内部のケーブルをかじって断線させたりする問題があった。
【０００４】
そこで、特許文献１では図４に示すように、左右の側壁２１と、底壁２２とを有していて、上部が開口しているトラフ本体２と、トラフ本体２の開口を塞ぐ蓋３とからなっている樹脂製のトラフ１であって、このトラフ本体２同士及び蓋３同士を嵌入接続して長手方向に延長するトラフ１が提案されている。このトラフ本体２同士及び蓋３同士を嵌入接続して長手方向に延長する場合は、図４に示すように、トラフ本体２の一端部の底壁２２に形成された突縁部３１を有する雄部３０を、図５に示すトラフ本体２の他方の側の底壁２２に形成された溝部３２を有する雌部４０に、図６に示すように嵌入することで、順次長手方向にトラフ本体２同士を嵌入接続して延長する。尚、蓋３は図６では省略されているが、このようにして長手方向に所望長さ延長したトラフ本体２内にケーブル等が収納された後、開口部には蓋３をやはり嵌入接続して被せる。
【０００５】
特許文献１のトラフ本体２は雄部３０の突縁部３１を雌部４０の溝部３２に上方から嵌入させることによって簡単に接続することができる。更に、嵌入により接続されているため、地震等によりトラフ本体２同士が離れる方向に移動した場合に於いても、トラフ本体２同士の嵌入部に隙間が発生することがなく、従ってネズミ等がトラフ１内部に侵入してトラフ内部のケーブルをかじって断線させたりすることがない。また、樹脂製であるために、腐食はほとんど発生せず、割れ、欠け等も発生しない。尚、樹脂製トラフの場合には、熱膨張によるトラフ本体２の伸縮が発生するが、この場合も嵌入接続されていることでトラフ本体２同士の嵌入部に隙間が発生することがない。言うまでもなく、蓋３についても嵌入接続されていることにより同様に隙間が発生することがない。
【０００６】
【特許文献１】特開２０００−５５２４０号公報
【発明の開示】
【発明が解決しようとする課題】
【０００７】
しかし、トラフを設置する場合、設置する長さは必ずしもトラフ本体の長さの整数倍ではない。すなわち、設置していない部分として、トラフ本体の長さよりも短い空間が残ってしまう場合があるが、その空間にはもはやトラフ本体を配置することはできない。従来ではこの場合、トラフ本体を切断して長さを調整した短尺のトラフ本体をその空間に配置していた。しかし、トラフ本体において雄部または雌部が切除されてしまうと、他のトラフ本体とはもはや嵌入接続することはできない。つまり、長さ調整した短尺のトラフ本体は、他のトラフ本体と端面が接するように載置するだけとなり、トラフの熱収縮が発生した場合や地震等によりトラフ同士が離れる方向に移動した場合には、たとえそれ以外の部分が全て嵌入接続されていて隙間が発生しない構造になっていたとしても、長さ調整した短尺のトラフ本体と他のトラフ本体との間に発生した隙間からネズミが侵入し、トラフ内部のケーブルをかじって断線させてしまう危険が生じる。
【０００８】
本発明はこのような問題点に鑑みてなされたもので、例えば、雌部と雌部を接続する必要が生じた場合でも、トラフ本体の雌部と雌部を接続するアダプターをトラフ本体から切出してトラフ本体を嵌入接続して、他のトラフ本体と嵌入接続が可能なトラフ本体を接続したトラフ本体の接続構造を提供することを目的とする。
【課題を解決するための手段】
【０００９】
前記目的を達成すべく本発明に使用するトラフのトラフ本体は、左右側壁と底壁とを有し上部が開口しているトラフ本体からなり、前記トラフ本体同士は長手方向に接続されて延長可能になっているトラフ本体において、前記トラフ本体の一端部の側壁の外面には突縁が形成された雄部が、また前記トラフの他端部の側壁の外面には前記雄部が嵌合できる受け部が形成された雌部がそれぞれ設けられており、かつ前記トラフ本体には前記雄部と前記雌部との間に更に雄部が設けられていることを特徴とするものである。
【００１０】
このように本発明に使用するトラフ本体は、トラフ本体の雄部と雌部との間の任意の位置に更に雄部が形成されているため、この雄部と雌部との間の任意の位置に形成された雄部が端部にくるようにしてトラフ本体を切断すれば、一端に雄部、他端に雌部を有する短尺のトラフ本体を得ることができる。
【００１１】
更に、前記目的を達成すべく本発明の請求項１に記載のトラフ本体の接合構造に用いるトラフは、前記雄部と雌部との間に更に設けられた雄部は、前記雌部の前記受け部２つを直列置きして連結できるように形成された２以上の突縁部を備えていることを特徴とするものである。
このようにして、下記に示す請求項１のトラフ本体の接合構造体を得ることができる。
左右側壁と底壁とを有し上部が開口しているトラフ本体同士が長手方向に接続されて延長されているトラフ本体を接続した構造体である。さらに、前記トラフ本体の一端部の側壁の外面には、突縁が形成された雄部が、前記トラフの他端部の側壁の外面には、前記雄部が嵌合できる受け部が形成された雌部がそれぞれ設けられており、かつ前記トラフ本体には前記雄部と前記雌部との間に、更に前記雄部とは別の雄部が設けられた２つのトラフ本体を用いる。そして、前記２つのトラフ本体の一方のトラフ本体の雌部の受部に対して、他方のトラフ本体の雌部の受部が図２のように対向して当接するように配置する。
そして、前記のように配置した２つのトラフを接続する部材として、前記２つのトラフ本体とは別のトラフ本体の、雄部と雌部の間に設けられ、雌部の受部を２つ直列置きした時に連結できるように形成された２つの突縁部のトラフ本体長手方向の外側面をトラフ断面方向に切断して、２つのトラフ本体の雌部と雌部の嵌合を行なう雌―雌アダプターとして２つのトラフ本体の当接する雌部に形成された受部に嵌入し雌―雌嵌合することを特徴とするトラフ本体の接続構造である。
【００１２】
このようにしてなる請求項１に記載のトラフ本体の接合構造においては、
２つの突縁部が雌部の受け部２つを直列置きして連結できるように形成されているため、トラフの設置において、最後に対向したトラフが雌部と雌部であった場合には、雄部と雌部との間のトラフ本体の中間部に設けられた２つの突縁部が、雌部の受部を２つ直列置きした時に連結できる間隔に形成されており、この２つの突縁部のトラフ本体長手方向の外側面をトラフ本体の断面方向に切断することで、雌−雌アダプターとすることができる。すなわち、雌部と雌部が対向してしまった場合には、別のトラフ本体から２つの突縁部を切り出して雌−雌アダプターとし、対向した２つの雌部の受け部同士を並べて、切り出した雌−雌アダプターを用いて嵌入接続すれば良い。
【００１３】
請求項２に記載のトラフ本体の接続構造は、前記雌-雌アダプターが、トラフ本体の中間部に設けられた２つの突縁部のトラフ本体長手方向の外側面位置で、前記２つの突縁部の外側面が前記雌-雌アダプターの長手方向の両端に位置するようにトラフ本体をトラフ断面方向に切断したものであることを特徴とする請求項１に記載のトラフ本体の接続構造である。
【発明の効果】
【００１４】
以上のように本発明のトラフによれば、前記トラフ本体の雌部と雌部を接続する必要が生じた場合でも、トラフ本体の雌部と雌部を接続するアダプターを切り出して、トラフ本体と他のトラフ本体とを雌―雌アダプターを用いて接続することが可能なトラフ本体の接続構造を提供することができる。
【図面の簡単な説明】
【００１５】
【図１】本発明の第一の実施形態に用いるトラフ本体の斜視図である。
【図２】本発明の第一の実施形態に係るトラフ本体の中間部に形成された２つの突縁部のトラフ本体長手方向の外側面位置（Ｂ−Ｂ）で、前記２つの突縁部の外側面が雌―雌アタプター長手方向の両端に位置するように切断した雌−雌アダプターを用いてトラフ本体を嵌入接続したトラフ本体の接続構造の斜視図である。
【図３】本発明の第一の実施形態に係るトラフ本体の接続構造に用いるトラフ本体の中間部に設けられ、雌部の受け部を２つ直列置きした時に連結できる間隔で形成された２つの突縁部をトラフ本体長手方向に直角に切断した雌−雌アダプターの斜視図である。
【図４】従来の樹脂製トラフの斜視図である。
【図５】従来の樹脂製トラフの一端部を示す一部斜視図である。
【図６】従来の樹脂製トラフ同士を嵌入接続したものの断面側壁図である。
【発明を実施するための最良の形態】
【００１６】
本発明における第一の実施形態は、トラフ本体の雌部と雌部の接続構造に関するものである。
図１は、本発明の第一の実施形態に用いるトラフ本体２の斜視図である。図１では、左右の側壁２１と底壁２２とから成る上部が開口した再生プラスチック製のトラフ本体２において、トラフ本体２の一端に、側壁２１の外面に突縁部３１と周方向の溝部３２とが突縁部３１が端面側に位置するように隣接して形成された雄部３０と、他端には突縁部３１が緩く嵌合できる受け部４１と雄部３０の底壁２２を載置する載置部４２とから成る雌部４０が形成されている。また、トラフ本体２の雄部３０と雌部４０の間には、雌部４０寄りに、突縁部７１及び溝部７２を２組設けてある。ここで、２つの突縁部７１は溝部一つを挟んで対向して設けられており、雌部４０の受け部４１を２つ直列置きした時に連結できるように形成されている。
【００１７】
このトラフ本体２を長手方向に延長していく場合には、一方のトラフ本体２の雌部４０に形成された受け部４１に対して、接続する他方のトラフ本体２の雄部３０に形成された突縁部３１が嵌まり込むように他方のトラフ本体２を上から嵌入接続させる。本発明の第一の実施の形態に用いるトラフ本体２では、雄部３０の突縁部３１に溝部３２を形成することにより、受け部４１との嵌入をより強固にしている。更に、雌部４０の受け部４１は突縁部３１が緩く嵌合できるように形成されていることで、トラフ本体２の嵌入接続部には適度な遊びが存在し、例えば、少しの長さ調整で良い場合や熱膨張等による伸縮等が発生した場合には遊びの範囲内での対応が可能となる。また、雌部４０に雄部３０の底壁２２を載置する載置部４２を形成したことで、雄部４０の底壁２２が雌部４０の載置部４２と互いの一部が重なり合い、前記のように遊びの範囲で雄部３０と雌部４０が動く等した場合でも、雄部３０と雌部４０との底面に隙間が発生することがない。
【００１８】
すなわち、図２に雌−雌アダプター１４を用いてトラフ本体２の雌部４０同士を嵌入接続させたトラフ本体の接続構造の本発明の第一実施形態を示す。トラフ本体２の設置において、最後にトラフ本体２の雌部４０と他のトラフ本体２の雌部４０とが対向してしまった場合には、別のトラフ本体２から雌−雌アダプター１４を切り出して嵌入接続させれば良い。図２に雌−雌アダプター１４を用いてトラフ本体２の雌部４０同士を嵌入接続させたものを示す。ここで、２つの突縁部７１が、対向する雌部４０の２つの受け部４１同士を連結できるように形成されている。
【００１９】
一方、図３は本発明の第一の実施形態に用いるトラフ本体（図１）を２つの突縁部のトラフ本体長手方向の外側面で切断した雌―雌アダプター１４の斜視図である。雌―雌アダプター１４の２つの突縁部７１は雌部４０と雌部４０を対向して配置した場合に、対向する雌部４０の２つの受け部４１同士を緩く連結できる間隔で形成されているため、この２つの突縁部７１が両端に位置するようにトラフ本体２を切断することで、雌部４０と雌部４０とを嵌入接続させる雌―雌アダプター１４とすることができる。
【００２０】
以上のようにしてなる本発明のトラフによれば、トラフ本体の雌部と雌部が対向した場合でも、トラフ本体と他のトラフ本体とを雌―雌アダプターを用いて接続することが可能なトラフ本体の接続構造を提供することができる。
【符号の説明】
【００２１】
１  トラフ
２  トラフ本体
３  蓋
１４  雌−雌アダプター
２１  側壁
２２  底壁
３０  雄部
３１、７１  突縁部
３２、７２  溝部
４０  雌部
４１  受け部
４２  載置部
【図１】
0004460053.tif 000002
【図２】
0004460053.tif 000003
【図３】
0004460053.tif 000004
【図４】
0004460053.tif 000005
【図５】
0004460053.tif 000006
【図６】
0004460053.tif 000007